(57)【要約】【課題】より快適に水を浴びることができる浴室を提供する。【解決手段】壁パネルと、上下方向に延びた状態で前記壁パネルの壁面に取り付けられるシャワーバーと、シャワーヘッドを着脱可能に保持する保持部を有し、前記上下方向にスライド移動可能に前記シャワーバーに取り付けられるシャワーフックと、を有するシャワーバー装置と、前記壁パネルの前記壁面に対して前記シャワーバー装置よりも下方に取り付けられる洗面カウンターと、を備え、前記シャワーバーは、前記シャワーフックが下方に向かうにつれ、前記保持部を前方に移動させ、前記保持部は、前記シャワーフックを最も上方に位置させた際に、前記洗面カウンターの前端よりも後方に位置することを特徴とする浴室である。【選択図】図１
2020138004.tif 000002
【特許請求の範囲】
【請求項１】
壁パネルと、
上下方向に延びた状態で前記壁パネルの壁面に取り付けられるシャワーバーと、シャワーヘッドを着脱可能に保持する保持部を有し、前記上下方向にスライド移動可能に前記シャワーバーに取り付けられるシャワーフックと、を有するシャワーバー装置と、
前記壁パネルの前記壁面に対して前記シャワーバー装置よりも下方に取り付けられる洗面カウンターと、
を備え、
前記シャワーバーは、前記シャワーフックが下方に向かうにつれ、前記保持部を前方に移動させ、
前記保持部は、前記シャワーフックを最も上方に位置させた際に、前記洗面カウンターの前端よりも後方に位置することを特徴とする浴室。
【請求項２】
前記シャワーフックは、前記上下方向にスライド移動可能かつ前記シャワーバーを軸に回動可能に前記シャワーバーに取り付けられ、
前記保持部は、前記シャワーフックを最も上方に位置させ、かつ前記保持部が前記シャワーバーの正面に位置するように前記シャワーフックを回動させた際に、
前記洗面カウンターの前端よりも後方に位置することを特徴とする請求項１記載の浴室。
【請求項３】
前記保持部は、前記シャワーフックを最も下方に位置させた際にも、前記洗面カウンターの前端よりも後方に位置することを特徴とする請求項１又は２に記載の浴室。
【請求項４】
前記シャワーバーは、前記シャワーフックが上方に向かうにつれ、単位高さに応じた前記保持部の後方への移動量を大きくすることを特徴とする請求項１〜３のいずれか１つに記載の浴室。
【請求項５】
前記保持部は、前記シャワーフックを最も上方に位置させた際に、前記シャワーバーの下端よりも前方に位置することを特徴とする請求項１〜４のいずれか１つに記載の浴室。
【発明の詳細な説明】
【技術分野】
【０００１】
本発明は、浴室に関する。
【背景技術】
【０００２】
浴室において、シャワーヘッドを保持可能なシャワーフックが上下に移動可能に取り付けられたシャワーバーを設置することが知られている。使用者は、シャワーフックをシャワーバーに対して下方に動かした状態に配置することで、浴室に設置された椅子などに着座した状態でシャワーを利用することができる。また、使用者は、シャワーフックをシャワーバーに対して上方に動かした状態に配置することで、立った状態でもシャワーを利用することができる。しかしながら、使用者のシャワー利用時の姿勢などを考慮すると、シャワーバーやシャワーフックの構造には、まだまだ改善の余地が残されている。
【先行技術文献】
【特許文献】
【０００３】
【特許文献１】実開昭６３−０６１４６８号公報
【発明の概要】
【発明が解決しようとする課題】
【０００４】
本発明は、かかる課題の認識に基づいてなされたものであり、より快適に水を浴びることができる浴室を提供することを目的とする。
【課題を解決するための手段】
【０００５】
第１の発明は、壁パネルと、上下方向に延びた状態で前記壁パネルの壁面に取り付けられるシャワーバーと、シャワーヘッドを着脱可能に保持する保持部を有し、前記上下方向にスライド移動可能に前記シャワーバーに取り付けられるシャワーフックと、を有するシャワーバー装置と、前記壁パネルの前記壁面に対して前記シャワーバー装置よりも下方に取り付けられる洗面カウンターと、を備え、前記シャワーバーは、前記シャワーフックが下方に向かうにつれ、前記保持部を前方に移動させ、前記保持部は、前記シャワーフックを最も上方に位置させた際に、前記洗面カウンターの前端よりも後方に位置することを特徴とする浴室である。
【０００６】
使用者が浴室に設置された椅子などに着座した状態の際には、そのまま立ち上がった状態と比べて、シャワーバーから離れた位置に上半身が位置するようになる。この浴室によれば、シャワーバーは、シャワーフックが下方に向かうにつれ、保持部を前方に移動させる。従って、使用者が椅子などに着座した状態で使用する「シャワーフックが下方にある状態」では、「シャワーフックが上方にある状態」と比べ、シャワーヘッドを保持する保持部が前方に移動する。これにより、椅子などに着座することによって後方に移動した使用者の上半身にシャワーヘッドを近付け、着座した使用者の上半身に水を当て易くすることができる。これにより、着座した状態において、快適に水を浴びることができる。
【０００７】
また、使用者が立ち上がった状態で使用する「シャワーフックが上方にある状態」では、「シャワーフックが下方にある状態」と比べ、シャワーヘッドを保持する保持部が後方に移動する。これにより、例えば、使用者が椅子などに着座した状態からそのまま立ち上がった際に、シャワーヘッドが、立ち上がることによって前方に移動した使用者の上半身に近付き過ぎてしまうことを抑制することができる。これにより、使用者が椅子などに着座した状態からそのまま立ち上がった際にも、使用者の上半身に水を当て易くすることができ、快適に水を浴びることができる。
【０００８】
その上で、保持部は、シャワーフックを最も上方に位置させた際に、洗面カウンターの前端よりも後方に位置する。これにより、シャワーフックを最も上方に位置させた際にも、シャワーフックが立った使用者の洗髪や洗体などの作業に邪魔になってしまうことを抑制することができる。従って、使用者が椅子などに着座した状態でも立ち上がった状態でも、シャワーヘッドから吐出された水を、より快適に浴びることができる浴室を提供することができる。
【０００９】
第２の発明は、第１の発明において、前記シャワーフックは、前記上下方向にスライド移動可能かつ前記シャワーバーを軸に回動可能に前記シャワーバーに取り付けられ、前記保持部は、前記シャワーフックを最も上方に位置させ、かつ前記保持部が前記シャワーバーの正面に位置するように前記シャワーフックを回動させた際に、前記洗面カウンターの前端よりも後方に位置することを特徴とする浴室である。
【００１０】
この浴室によれば、前記シャワーフックを回動可能にした際にも、シャワーフックが立った使用者の洗髪や洗体などの作業に邪魔になってしまうことを、より確実に抑制することができる。
【００１１】
第３の発明は、第１又は第２の発明において、前記保持部は、前記シャワーフックを最も下方に位置させた際にも、前記洗面カウンターの前端よりも後方に位置することを特徴とする浴室である。
【００１２】
この浴室によれば、保持部が、シャワーフックを最も下方に位置させた際にも、洗面カウンターの前端よりも後方に位置するため、シャワーフックが椅子などに座った使用者の洗髪や洗体などの作業に邪魔になってしまうことも抑制することができる。
【００１３】
第４の発明は、第１〜第３のいずれか１つの発明において、前記シャワーバーは、前記シャワーフックが上方に向かうにつれ、単位高さに応じた前記保持部の後方への移動量を大きくすることを特徴とする浴室である。
【００１４】
この浴室によれば、使用者が椅子などに着座した状態で使用する「シャワーフックが下方にある状態」でシャワーフックの高さを微調整した際に、保持部が必要以上に前後に移動してしまうことを抑制することができ、シャワーフックの高さを調整し易くすることができる。また、使用者が立ち上がった状態で使用する「シャワーフックが上方にある状態」で保持部の後方への移動量を大きくすることにより、使用者が椅子などに着座した状態からそのまま立ち上がった際に、シャワーヘッドが、立ち上がることによって前方に移動した使用者の上半身に近付き過ぎてしまうことを、より適切に抑制することができる。
【００１５】
第５の発明は、第１〜第４のいずれか１つの発明において、前記保持部は、前記シャワーフックを最も上方に位置させた際に、前記シャワーバーの下端よりも前方に位置することを特徴とする浴室である。
【００１６】
この浴室によれば、保持部が、シャワーフックを最も上方に位置させた際に、シャワーバーの下端よりも前方に位置することにより、シャワーフックを最も上方に位置させた際にも、シャワーバーの下端が邪魔になり、保持部に保持されたシャワーヘッドが掴み難くなってしまうことを抑制できる。また、使用者が立ち上がった状態で使用する際に、シャワーバーの下端が邪魔になってしまうことを抑制でき、程よい位置で快適に水を浴びることができる。
【発明の効果】
【００１７】
本発明によれば、より快適に水を浴びることができる浴室を提供することができる。
【図面の簡単な説明】
【００１８】
【図１】実施形態に係る浴室を模式的に表す斜視図である。
【図２】実施形態に係るシャワーフックを模式的に表す斜視図である。
【図３】図３（ａ）及び図３（ｂ）は、実施形態に係るシャワーフックを模式的に表す断面図である。
【図４】図４（ａ）及び図４（ｂ）は、実施形態に係るシャワーバー装置を模式的に表す側面図である。
【図５】図５（ａ）及び図５（ｂ）は、実施形態に係る浴室を模式的に表す側面図である。
【図６】図６（ａ）〜図６（ｃ）は、実施形態に係るシャワーバー装置の変形例を模式的に表す側面図である。
【発明を実施するための形態】
【００１９】
以下、実施形態について図面を参照しつつ説明する。なお、各図面中、同様の構成要素には同一の符号を付して詳細な説明は適宜省略する。  
図１は、実施形態に係る浴室を模式的に表す斜視図である。  
図１に表したように、浴室２は、シャワーバー装置１０と、壁パネル１１と、洗面カウンター１２と、水栓装置１３と、シャワーヘッド１４と、鏡１５と、を備える。なお、図１では、便宜的に図示を省略しているが、浴室２は、例えば、洗い場床、浴槽、及び天井パネルなどをさらに備える。
【００２０】
壁パネル１１は、壁面１１ａを有する。壁パネル１１は、洗い場床の端部から壁面１１ａを略垂直に立ち上げた状態で浴室２に設置される。これにより、壁パネル１１は、浴室２の壁面を形成する。壁面１１ａは、換言すれば、浴室２の壁面である。
【００２１】
また、浴室２は、例えば、複数の壁パネルを有し、複数の壁パネルによって矩形状の空間を形成する。壁パネル１１は、例えば、浴室２の複数の壁パネルのうちの浴槽に隣接して設置される壁パネルである。
【００２２】
シャワーバー装置１０は、シャワーバー２０と、シャワーフック２２と、を備える。シャワーバー２０は、上下方向に延びた状態で壁パネル１１の壁面１１ａに取り付けられる。シャワーフック２２は、シャワーヘッド１４を着脱可能に保持する保持部３０を有し、上下方向にスライド移動可能にシャワーバー２０に取り付けられる。
【００２３】
シャワーバー装置１０は、シャワーフック２２を上下方向にスライド移動可能とすることにより、保持部３０に保持されたシャワーヘッド１４の上下方向の位置を調節可能とする。
【００２４】
従って、シャワーバー装置１０では、例えば、シャワーフック２２の上下方向の位置を調節することにより、使用者の体格などに対応した適切な位置でシャワーヘッド１４から吐出された水を浴びることができる。なお、本願明細書において、「水」には、加温された「お湯」も含むものとする。
【００２５】
また、シャワーバー装置１０は、シャワーフック２２を上下方向にスライド移動可能とすることにより、使用者が立ち上がった状態でも洗い場床に置かれた椅子などに着座した状態でも、シャワーヘッド１４から吐出された水を適切に浴びられるようにする。
【００２６】
さらに、シャワーバー装置１０は、シャワーバー２０を手摺りとしても利用できるようにする。これにより、例えば、椅子などに着座した状態から立ち上がる際に、シャワーバー２０を掴むことにより、立ち上がり易くすることができる。あるいは、浴槽と洗い場床との間の移動の際に、シャワーバー２０を掴むことにより、浴槽と洗い場床との間の移動をし易くすることができる。このように、シャワーバー装置１０では、シャワーバー２０を手摺りとしても利用できるようにすることにより、使用者の立上りや移動などの動作を補助することができる。
【００２７】
シャワーバー２０の下端から洗い場床の床面までの距離Ｄ１は、例えば、８０ｃｍ以下である。これにより、使用者が椅子などに着座した状態でも、シャワーバー２０を掴み易くすることができる。また、シャワーバー２０の下端から洗い場床の床面までの距離Ｄ１は、例えば、６０ｃｍ以上である。これにより、シャワーバー２０の下端が使用者の足などに当たり、邪魔になってしまうことを抑制することができる。
【００２８】
シャワーバー２０の上下方向の長さＬ１は、例えば、９０ｃｍ以上１２０ｃｍ以下である。浴室２の天井までの高さは、概ね２ｍ程度である。従って、長さＬ１を上記のように設定することにより、様々なタイプの浴室２にシャワーバー装置１０を適用させ、適切な高さにシャワーフック２２を配置することができる。
【００２９】
洗面カウンター１２は、壁パネル１１の壁面１１ａに対してシャワーバー装置１０よりも下方に取り付けられる。洗面カウンター１２は、上面１２ａを有する。洗面カウンター１２の上面１２ａは、左右方向及び前後方向に延び、洗面器やシャンプーボトルなどの物品を載置可能とする。
【００３０】
シャワーバー装置１０は、例えば、洗面カウンター１２の左右方向の幅内に配置される。換言すれば、洗面カウンター１２は、シャワーバー装置１０と上下方向において重なる位置に配置される。この場合、シャワーバー装置１０の下端（シャワーバー２０の下端）は、洗面カウンター１２に取り付けてもよい。但し、洗面カウンター１２は、シャワーバー装置１０と左右方向にずれた位置に配置してもよい。洗面カウンター１２は、少なくとも上面１２ａがシャワーバー装置１０の下端よりも下方に配置されていればよい。
【００３１】
水栓装置１３は、壁パネル１１の壁面１１ａに対して洗面カウンター１２の上方に取り付けられる。水栓装置１３は、下方に向けて水を吐出する吐水部１３ａを有する。水栓装置１３は、洗面カウンター１２の左右方向の幅内に配置される。水栓装置１３は、例えば、洗面カウンター１２の上面１２ａに向けて吐水部１３ａから水を吐出する。これにより、洗面カウンター１２の上面１２ａに載置された洗面器などに水を溜めることができる。
【００３２】
シャワーヘッド１４は、ホース１６を介して水栓装置１３と接続されている。シャワーヘッド１４は、例えば、複数の吐水孔が設けられた散水板１４ｗを有するヘッド本体１４ａと、ヘッド本体１４ａから延びる略棒状の持ち手部１４ｂと、を有する。シャワーヘッド１４は、持ち手部１４ｂのヘッド本体１４ａと反対側の端部においてホース１６と接続される。持ち手部１４ｂは、例えば、ヘッド本体１４ａ側からホース１６側に向かって次第に細くなるテーパ形状を有する。
【００３３】
水栓装置１３は、吐水部１３ａからの吐止水を切り替えるとともに、シャワーヘッド１４からの吐止水を切り替える。また、水栓装置１３は、例えば、吐水部１３ａ又はシャワーヘッド１４から吐水する水の温度の調節機能や、吐水部１３ａ又はシャワーヘッド１４から吐水する水の流量の調節機能などをさらに有する。
【００３４】
水栓装置１３は、左右方向及び前後方向に延び、シャンプーボトルなどの物品を載置可能な棚形状の上面１３ｂを有する。このように、水栓装置１３は、水を吐出する水栓として機能するとともに、物品を載置可能なカウンターとしても機能する。水栓装置１３は、換言すれば、水栓カウンターである。これにより、浴室２の使い勝手を向上させることができる。但し、水栓装置１３は、必ずしも棚形状を有するものでなくてもよい。水栓装置１３は、少なくとも吐水部１３ａ及びシャワーヘッド１４からの吐止水を切り替える機能を有する任意の水栓装置でよい。
【００３５】
シャワーバー装置１０は、例えば、左右方向において、水栓装置１３と浴槽との間に設けられる。これにより、浴槽と洗い場床との間の移動の際に、シャワーバー２０を手摺りとして利用し易くすることができる。
【００３６】
鏡１５は、壁パネル１１の壁面１１ａに対して水栓装置１３の上方に取り付けられる。また、鏡１５は、例えば、上下方向に延び、左右方向においてシャワーバー装置１０と並べて壁面１１ａに取り付けられる。これにより、鏡１５は、水栓装置１３の前に着座した状態でも、シャワーヘッド１４から吐出された水を立って浴びる状態でも、使用者が自身の姿を確認できるようにする。なお、鏡１５は、必要に応じて浴室２に設けられ、省略可能である。
【００３７】
図２は、実施形態に係るシャワーフックを模式的に表す斜視図である。  
図３（ａ）及び図３（ｂ）は、実施形態に係るシャワーフックを模式的に表す断面図である。  
図２、図３（ａ）及び図３（ｂ）に表したように、シャワーバー装置１０のシャワーフック２２は、シャワーヘッド１４を着脱可能に保持する保持部３０を有するとともに、フック本体３２と、取付部３４と、ロック機構３６と、をさらに有する。
【００３８】
フック本体３２は、水平方向に延びる。換言すれば、フック本体３２は、シャワーバー２０の延びる方向と直交する方向に延びる。なお、フック本体３２の延びる方向は、厳密に水平な方向に限定されるものではない。フック本体３２の延びる方向は、少なくとも水平方向に延びる成分を有していればよい。
【００３９】
保持部３０は、フック本体３２の一端側に設けられている。保持部３０は、例えば、シャワーヘッド１４の持ち手部１４ｂの形状に応じた凹部３０ａを有する略Ｕ字状の部材である。保持部３０は、シャワーヘッド１４のテーパ形状を有する持ち手部１４ｂを上方から凹部３０ａに差し込み、持ち手部１４ｂを凹部３０ａに係合させることにより、シャワーヘッド１４を着脱可能に保持する。
【００４０】
フック本体３２は、保持部３０を水平方向を軸に回転可能に支持する。また、フック本体３２は、保持部３０を所定の回転角度で保持するためのラッチ機構３８を有する。これにより、水平方向を軸とするシャワーヘッド１４の角度を調整することができる。例えば、シャワーヘッド１４から水を下側に向けて吐出したり、少し前方側に向けて吐出したりすることを、調整することができる。
【００４１】
ラッチ機構３８は、例えば、プランジャ３８ａと、コイルバネ３８ｂと、を有する。プランジャ３８ａは、フック本体３２の内部において前後方向に移動可能に設けられる。コイルバネ３８ｂは、プランジャ３８ａを前方側に付勢する。
【００４２】
保持部３０は、回転角度を調整するための複数の溝部３０ｂを背面側に有する。プランジャ３８ａは、保持部３０とコイルバネ３８ｂとの間に設けられ、コイルバネ３８ｂの付勢力によって保持部３０に押し付けられることにより、保持部３０の背面側に設けられた複数の溝部３０ｂのいずれかと係合する。
【００４３】
このように、溝部３０ｂとプランジャ３８ａとの係合によって、保持部３０の回転角度が保持される。そして、保持部３０に力を加え、コイルバネ３８ｂの付勢力に抗して保持部３０を回転させ、プランジャ３８ａを別の溝部３０ｂと係合させることにより、保持部３０の回転角度を調整することができる。換言すれば、シャワーヘッド１４の吐水角度を調整することができる。
【００４４】
なお、ラッチ機構３８の構成は、上記の構成に限定されるものではない。ラッチ機構３８の構成は、保持部３０を所定の回転角度で保持可能な任意の構成でよい。
【００４５】
取付部３４は、シャワーバー２０への取り付けに用いられる。シャワーフック２２は、取付部３４を介してシャワーバー２０に取り付けられる。取付部３４は、例えば、フック本体３２の他端側（保持部３０と反対側）に設けられる。取付部３４は、例えば、シャワーバー２０の断面形状に対応した貫通孔状である。シャワーフック２２は、取付部３４にシャワーバー２０を挿通することによって、シャワーバー２０に取り付けられる。取付部３４の形状は、貫通孔状に限ることなく、例えば、溝状などでもよい。取付部３４の形状は、シャワーフック２２のシャワーバー２０への取り付けを可能とする任意の形状でよい。
【００４６】
ロック機構３６は、シャワーバー２０に対してシャワーフック２２を上下方向の任意の位置に保持するための機構である。ロック機構３６は、例えば、可動部４０と、コイルバネ４２と、を有する。
【００４７】
可動部４０は、フック本体３２に上下方向に移動可能に支持されている。これにより、可動部４０は、図３（ａ）に表した初期位置と、図３（ｂ）に表した押圧位置と、の間で移動する。押圧位置は、初期位置よりも下方に押し込まれた位置である。
【００４８】
コイルバネ４２は、可動部４０を上方側に付勢する。可動部４０は、コイルバネ４２に付勢され、フック本体３２と係合することにより、初期位置に保持される。
【００４９】
可動部４０は、操作部４０ａを有する。操作部４０ａは、可動部４０が初期位置に保持された状態において、フック本体３２から上方に突出する。可動部４０は、操作部４０ａを押圧し、コイルバネ４２の付勢力に抗して下方に押し込むことにより、初期位置から押圧位置に移動する。
【００５０】
また、可動部４０は、初期位置にある状態において、一部を取付部３４内に入り込ませ、取付部３４に挿通されたシャワーバー２０と当接する。可動部４０は、コイルバネ４２の付勢力によってシャワーバー２０を押圧し、取付部３４とともにシャワーバー２０を挟む。これにより、可動部４０が初期位置にある状態では、シャワーバー２０の押圧にともなう摩擦力により、シャワーフック２２が、シャワーバー２０に対して上下方向の所定の位置で保持される。
【００５１】
可動部４０は、例えば、弾性体４４を有する。弾性体４４には、例えば、ゴムなどが用いられる。弾性体４４の摩擦係数は、プラスチックなどの硬質な樹脂材料からなる可動部４０の本体部分の摩擦係数よりも大きい。可動部４０は、初期位置にある状態において、弾性体４４を取付部３４内に入り込ませることにより、弾性体４４をシャワーバー２０に当接させる。これにより、可動部４０とシャワーバー２０との間に生じる摩擦力を大きくし、シャワーフック２２の上下方向の位置をより確実に保持することができる。
【００５２】
可動部４０は、初期位置から押圧位置に移動すると、下方に移動するとともに、取付部３４から離間する方向に移動する。可動部４０は、例えば、取付部３４の軸方向に対して斜めにスライド移動することにより、取付部３４から離間する方向に移動する。
【００５３】
可動部４０は、初期位置から押圧位置に移動すると、取付部３４から退避する。可動部４０は、初期位置から押圧位置に移動すると、弾性体４４を取付部３４から退避させる。これにより、可動部４０は、初期位置から押圧位置に移動すると、取付部３４とともにシャワーバー２０を挟んだ状態を解除する。従って、可動部４０を押圧位置に移動させた状態では、シャワーフック２２をシャワーバー２０に沿って上下方向に移動させることが可能となる。
【００５４】
このように、シャワーフック２２では、フック本体３２を把持し、操作部４０ａを押圧して可動部４０を押圧位置に移動させることにより、シャワーフック２２の上下方向の位置を調整することができる。そして、操作部４０ａの押圧を解除し、可動部４０を初期位置に移動させることにより、シャワーフック２２を調整した位置で保持することができる。これにより、シャワーフック２２では、シャワーバー２０に対して上下方向の任意の位置に配置することができる。従って、シャワーバー装置１０では、使用者の好みの高さにシャワーヘッド１４を配置することができる。
【００５５】
なお、ロック機構３６の構成は、上記に限ることなく、シャワーバー２０に対してシャワーフック２２を上下方向の任意の位置に保持することが可能な任意の構成でよい。
【００５６】
図４（ａ）及び図４（ｂ）は、実施形態に係るシャワーバー装置を模式的に表す側面図である。  
図４（ａ）は、シャワーフック２２をシャワーバー２０に対して最も上方に位置させた状態を模式的に表す。図４（ｂ）は、シャワーフック２２をシャワーバー２０に対して最も下方に位置させた状態を模式的に表す。なお、図４（ａ）及び図４（ｂ）では、便宜的にホース１６の図示を省略している。
【００５７】
図４（ａ）及び図４（ｂ）に表したように、シャワーバー２０は、バー本体５０と、上側支持部５２と、下側支持部５４と、を有する。バー本体５０は、上下方向に延びる棒状である。バー本体５０は、例えば、丸棒状である。シャワーバー装置１０は、例えば、前方側から見た状態において、棒状のバー本体５０を略垂直にした状態で、壁パネル１１の壁面１１ａに取り付けられる。
【００５８】
但し、シャワーバー装置１０は、前方側から見た状態において、バー本体５０を左右に傾斜させた状態で壁面１１ａに取り付けてもよい。バー本体５０は、少なくとも上下方向に延びた状態で壁面１１ａに取り付けられていればよい。バー本体５０の延びる方向と垂直方向との成す角度の劣角は、例えば、４５°以下である。これにより、シャワーフック２２の上下方向の位置を適切に調整することができる。
【００５９】
シャワーフック２２の取付部３４は、例えば、丸棒状のバー本体５０に対応した断面略円形の貫通孔状である。これにより、シャワーフック２２は、上下方向にスライド移動可能、かつシャワーバー２０を軸に水平方向に回動可能にシャワーバー２０に取り付けられる。シャワーバー装置１０では、シャワーヘッド１４から吐出される水を前方のみに限ることなく、シャワーフック２２を回動させることで、斜め右方向や斜め左方向などにも吐出することができる。従って、シャワーバー装置１０の使い勝手をより向上させることができる。
【００６０】
シャワーフック２２をシャワーバー２０を軸に回動可能とする構成は、上記に限ることなく、任意の構成でよい。バー本体５０及び取付部３４の断面形状は、必ずしも円形でなくてもよい。
【００６１】
上側支持部５２は、バー本体５０の上端を支持する。上側支持部５２の一端は、壁パネル１１の壁面１１ａに取り付けられる。上側支持部５２は、壁面１１ａから前方に向かって延び、他端側でバー本体５０の上端を支持する。下側支持部５４は、バー本体５０の下端を支持する。下側支持部５４の一端は、壁パネル１１の壁面１１ａに取り付けられる。下側支持部５４は、壁面１１ａから前方に向かって延び、他端側でバー本体５０の下端を支持する。
【００６２】
バー本体５０は、上側支持部５２及び下側支持部５４により、壁面１１ａから離間した状態で保持される。これにより、上下方向にスライド移動可能かつシャワーバー２０を軸に水平方向に回動可能にシャワーフック２２をバー本体５０に取り付けることができるとともに、バー本体５０を手摺りとして握り易くすることができる。
【００６３】
下側支持部５４の前後方向の長さは、上側支持部５２の前後方向の長さよりも長い。換言すれば、下側支持部５４の壁面１１ａから前方への突出量は、上側支持部５２の壁面１１ａから前方への突出量よりも大きい。これにより、上側支持部５２及び下側支持部５４は、下端側が上端側よりも前方に位置するようにバー本体５０を支持する。
【００６４】
シャワーバー２０は、上記のようにバー本体５０を支持することにより、シャワーフック２２が下方に向かうにつれ、保持部３０を前方に移動させる。換言すれば、シャワーフック２２は、下方に向かうにつれ、前方に移動する。なお、本願明細書において、「前方」とは、壁パネル１１の壁面１１ａの向く方向である。
【００６５】
バー本体５０は、例えば、前方側に向かって凸となるように湾曲している。これにより、下端側が上端側よりも前方に位置するようにバー本体５０を支持することができる。また、バー本体５０の下端側は、バー本体５０の上端側よりも垂直に近く、バー本体５０は、上方に向かうにつれて後方に向かうように湾曲している。これにより、シャワーバー２０は、シャワーフック２２が上方に向かうにつれ、単位高さに応じた保持部３０の後方への移動量を大きくする。すなわち、上記のようにバー本体５０を湾曲させることにより、バー本体５０の下方側においては、バー本体５０の上方側と比べて、シャワーフック２２の上下方向の移動にともなう前後方向への移動の移動量を小さくすることができる。
【００６６】
また、図４（ａ）に表したように、保持部３０は、シャワーフック２２をシャワーバー２０に対して最も上方に位置させた際に、シャワーバー２０の下端２０ａよりも前方に位置する。
【００６７】
前述のように、シャワーフック２２は、上下方向にスライド移動可能、かつシャワーバー２０を軸に回動可能にシャワーバー２０に取り付けられる。保持部３０は、シャワーフック２２を最も上方に位置させ、かつ保持部３０がシャワーバー２０の正面に位置するようにシャワーフック２２を回動させた際に、シャワーバー２０の下端２０ａよりも前方に位置する。ここで、「保持部３０がシャワーバー２０の正面に位置する」とは、換言すれば、前方側から見た際に、保持部３０がシャワーバー２０と重なる状態である。
【００６８】
図５（ａ）及び図５（ｂ）は、実施形態に係る浴室を模式的に表す側面図である。  
図５（ａ）に表したように、保持部３０は、シャワーフック２２をシャワーバー２０に対して最も上方に位置させた際に、洗面カウンター１２の前端１２ｂよりも後方に位置する。なお、図５（ａ）及び図５（ｂ）では、便宜的にホース１６の図示を省略している。
【００６９】
保持部３０は、シャワーフック２２をシャワーバー２０に対して最も上方に位置させ、かつ保持部３０がシャワーバー２０の正面に位置するようにシャワーフック２２を回動させた際に、洗面カウンター１２の前端１２ｂよりも後方に位置する。
【００７０】
また、図５（ｂ）に表したように、保持部３０は、シャワーフック２２をシャワーバー２０に対して最も下方に位置させた際にも、洗面カウンター１２の前端１２ｂよりも後方に位置する。保持部３０は、シャワーフック２２をシャワーバー２０に対して最も下方に位置させ、かつ保持部３０がシャワーバー２０の正面に位置するようにシャワーフック２２を回動させた際にも、洗面カウンター１２の前端１２ｂよりも後方に位置する。
【００７１】
使用者が浴室２に設置された椅子などに着座した状態の際には、そのまま立ち上がった状態と比べて、シャワーバー２０から離れた位置に上半身が位置するようになる（図５参照）。本実施形態に係る浴室２及びシャワーバー装置１０によれば、シャワーバー２０は、シャワーフック２２が下方に向かうにつれ、保持部３０を前方に移動させる。従って、使用者が椅子などに着座した状態で使用する「シャワーフック２２が下方にある状態」では、「シャワーフック２２が上方にある状態」と比べ、シャワーヘッド１４を保持する保持部３０が前方に移動する。これにより、椅子などに着座することによって後方に移動した使用者の上半身にシャワーヘッド１４を近付けることができるとともに、図５（ｂ）に表したように、保持部３０を回転させてシャワーヘッド１４の吐水角度を調整することで、着座した使用者の上半身に水を当て易くすることができる。これにより、着座した状態において、快適に水を浴びることができる。
【００７２】
また、使用者が立ち上がった状態で使用する「シャワーフック２２が上方にある状態」では、「シャワーフック２２が下方にある状態」と比べ、シャワーヘッド１４を保持する保持部３０が後方に移動する。これにより、例えば、図５（ａ）に表したように、使用者が椅子などに着座した状態からそのまま立ち上がった際に、シャワーヘッド１４が、立ち上がることによって前方に移動した使用者の上半身に近付き過ぎてしまうことを抑制することができる。これにより、使用者が椅子などに着座した状態からそのまま立ち上がった際にも、使用者の上半身に水を当て易くすることができ、快適に水を浴びることができる。例えば、保持部３０を回転させてシャワーヘッド１４の吐水角度を調整することで、オーバーヘッドシャワーのように、使用者の上方から使用者の全身に向けて水を吐出することができる。従って、使用者が椅子などに着座した状態でも立ち上がった状態でも、より快適に水を浴びることができるシャワーバー装置１０を提供することができる。
【００７３】
また、浴室２及びシャワーバー装置１０では、シャワーバー２０が、シャワーフック２２が上方に向かうにつれ、単位高さに応じた保持部３０の後方への移動量を大きくする。これにより、使用者が椅子などに着座した状態で使用する「シャワーフック２２が下方にある状態」でシャワーフック２２の高さを微調整した際に、保持部３０が必要以上に前後に移動してしまうことを抑制することができ、シャワーフック２２の高さを調整し易くすることができる。また、使用者が立ち上がった状態で使用する「シャワーフック２２が上方にある状態」で保持部３０の後方への移動量を大きくすることにより、使用者が椅子などに着座した状態からそのまま立ち上がった際に、シャワーヘッド１４が、立ち上がることによって前方に移動した使用者の上半身に近付き過ぎてしまうことを、より適切に抑制することができる。
【００７４】
また、浴室２及びシャワーバー装置１０では、保持部３０が、シャワーフック２２を最も上方に位置させた際に、シャワーバー２０の下端２０ａよりも前方に位置する。これにより、シャワーフック２２を最も上方に位置させた際にも、シャワーバー２０の下端２０ａが邪魔になり、保持部３０に保持されたシャワーヘッド１４が掴み難くなってしまうことを抑制できる。また、使用者が立ち上がった状態で使用する際に、シャワーバー２０の下端２０ａが邪魔になってしまうことを抑制でき、程よい位置で快適に水を浴びることができる。
【００７５】
また、浴室２及びシャワーバー装置１０では、シャワーフック２２が、上下方向にスライド移動可能かつシャワーバー２０を軸に回動可能にシャワーバー２０に取り付けられ、保持部３０は、シャワーフック２２を最も上方に位置させ、かつ保持部３０がシャワーバー２０の正面に位置するようにシャワーフック２２を回動させた際に、シャワーバー２０の下端２０ａよりも前方に位置する。これにより、シャワーフック２２を回動可能にした際にも、シャワーバー２０の下端２０ａが邪魔になり、保持部３０に保持されたシャワーヘッド１４が掴み難くなってしまうことなどを、より確実に抑制することができる。
【００７６】
また、浴室２及びシャワーバー装置１０では、保持部３０が、シャワーフック２２を最も上方に位置させた際に、洗面カウンター１２の前端１２ｂよりも後方に位置する。これにより、シャワーフック２２を最も上方に位置させた際にも、シャワーフック２２が立った使用者の洗髪や洗体などの作業に邪魔になってしまうことを抑制することができる。従って、使用者が椅子などに着座した状態でも立ち上がった状態でも、シャワーヘッド１４から吐出された水を、より快適に浴びることができる浴室２を提供することができる。
【００７７】
また、浴室２及びシャワーバー装置１０では、保持部３０が、シャワーフック２２を最も上方に位置させ、かつ保持部３０がシャワーバー２０の正面に位置するようにシャワーフック２２を回動させた際に、洗面カウンター１２の前端１２ｂよりも後方に位置する。これにより、シャワーフック２２を回動可能にした際にも、シャワーフック２２が立った使用者の洗髪や洗体などの作業に邪魔になってしまうことを、より確実に抑制することができる。
【００７８】
また、浴室２及びシャワーバー装置１０では、保持部３０が、シャワーフック２２を最も下方に位置させた際にも、洗面カウンター１２の前端１２ｂよりも後方に位置するため、シャワーフック２２が椅子などに座った使用者の洗髪や洗体などの作業に邪魔になってしまうことも抑制することができる。
【００７９】
図６（ａ）〜図６（ｃ）は、実施形態に係るシャワーバー装置の変形例を模式的に表す側面図である。  
なお、上記実施形態と機能、構成上実質的に同じものについては、同符号を付し、詳細な説明は省略する。また、図６（ａ）〜図６（ｃ）では、便宜的にホース１６の図示を省略している。
【００８０】
図６（ａ）に表したように、シャワーバー装置１０ａでは、シャワーバー２０のバー本体５０ａが、第１部分Ｐ１と、第２部分Ｐ２と、を有する。第１部分Ｐ１は、下側支持部５４から上方に向かって略垂直に直線状に延びる部分である。第２部分Ｐ２は、第１部分Ｐ１の上端から上方に向かって延びるとともに、上方に向かうにつれて後方に向かうように傾斜した直線状の部分である。バー本体５０ａの形状は、換言すれば、直線状の棒を途中で曲げることによって一部を傾斜させた形状である。
【００８１】
このように、構成させたバー本体５０ａであっても、上記実施形態と同様に、シャワーフック２２が下方に向かうにつれ、保持部３０を前方に移動させることができる。
【００８２】
図６（ｂ）に表したように、シャワーバー装置１０ｂでは、シャワーバー２０のバー本体５０ｂが、上方に向かうにつれて後方に向かうように傾斜した直線状である。このように、構成させたバー本体５０ｂであっても、上記実施形態と同様に、シャワーフック２２が下方に向かうにつれ、保持部３０を前方に移動させることができる。このように、バー本体５０ｂの形状は、直線状に傾斜した形状などでもよい。
【００８３】
図６（ｃ）に表したように、シャワーバー装置１０ｃでは、シャワーバー２０のバー本体５０ｃが、後方側に向かって凸となるように湾曲している。このように、構成させたバー本体５０ｃであっても、上記実施形態と同様に、シャワーフック２２が下方に向かうにつれ、保持部３０を前方に移動させることができる。
【００８４】
このように、シャワーバー２０の構成は、シャワーフック２２が下方に向かうにつれ、保持部３０を前方に移動させることができる任意の構成でよい。
【００８５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８６】
２ 浴室、  １０、１０ａ〜１０ｃ シャワーバー装置、  １１ 壁パネル、  １１ａ 壁面、  １２ 洗面カウンター、  １３ 水栓装置、  １４ シャワーヘッド、  １５ 鏡、  １６ ホース、  ２０ シャワーバー、  ２２ シャワーフック、  ３０ 保持部、  ３２ フック本体、  ３４ 取付部、  ３６ ロック機構、  ３８ ラッチ機構、  ４０ 可動部、  ４２ コイルバネ、  ４４ 弾性体、  ５０、５０ａ〜５０ｃ バー本体、  ５２ 上側支持部、  ５４ 下側支持部
【図１】
2020138004.tif 000003
【図２】
2020138004.tif 000004
【図３】
2020138004.tif 000005
【図４】
2020138004.tif 000006
【図５】
2020138004.tif 000007
【図６】
2020138004.tif 000008